(57)【要約】  モデム装置は、直交周波数分割多重通信法に従う無線ネットワークアクセスを提供する様に構成される。装置は、ベースバンド処理コンポーネント（３０２）と無線周波数処理コンポーネント（３０４）とを含むハードウェアサブシステムを備えている。ベースバンド処理コンポーネント（３０２）は、直交周波数分割多重通信法に従い時間ドメインと周波数ドメインとの間での変換を行う様に構成された第１変換器コンポーネント（３１４）と、パラレルデータフォーマットとシリアルデータフォーマットとの間での変換を行う様に構成され、第１変換器（３１４）と動作可能に結合される第２変換器コンポーネント（３１６）と、を有する。無線周波数処理コンポーネント（３０４）は、制御情報に応答するサイクリックプレフィクス処理コンポーネント（３１８）を有する。デジタルインタフェース（３０６）は、ベースバンド処理コンポーネント（３０２）とＲＦ処理コンポーネント（３０４）との間に配置され、第２変換器（３１６）とサイクリックプレフィクス処理コンポーネント（３１８）に動作可能に結合される。
2018517343.tif 000002
【特許請求の範囲】
【請求項１】
直交周波数分割多重通信法に従う無線ネットワークアクセスを提供する様に構成されたモデム装置であって、
前記直交周波数分割多重通信法に従い構成され、バースバンド処理コンポーネントと無線周波数処理コンポーネントと、を含むハードウェアサブシステムを含み、
前記ベースバンド処理コンポーネントは、
前記直交周波数分割多重通信法に従い時間ドメインと周波数ドメインとの間での変換を行う様に構成された第１変換器コンポーネントと、
パラレルデータフォーマットとシリアルデータフォーマットとの間での変換を行う様に構成され、前記第１変換器と動作可能に結合される第２変換器コンポーネントと、
を有し、
前記無線周波数処理コンポーネントは、制御情報に応答するサイクリックプレフィクス処理コンポーネントを、有し、
前記モデム装置は、
前記ベースバンド処理コンポーネントと前記ＲＦ処理コンポーネントとの間に配置され、前記第２変換器と前記サイクリックプレフィクス処理コンポーネントに動作可能に結合されるデジタルインタフェースと、を備えているモデム装置。 
【請求項２】
請求項１に記載のモデム装置であって、
前記無線周波数処理コンポーネントは、第３変換器コンポーネントを有し、前記サイクリックプレフィクス処理コンポーネントは、前記第３変換器コンポーネントと前記デジタルインタフェースとの間に配置される、モデム装置。
【請求項３】
請求項２に記載のモデム装置であって、
前記第３変換器コンポーネントは、デジタル−アナログ変換器である、モデム装置。
【請求項４】
請求項２に記載のモデム装置であって、
前記第３変換器コンポーネントは、アナログ−デジタル変換器である、モデム装置。
【請求項５】
請求項１から４のいずれか１項に記載のモデム装置であって、
前記ハードウェアサブシステムは、前記無線周波数処理コンポーネント、前記ベースバンド処理コンポーネント及び前記デジタルインタフェースを有する送受信機を備えている、モデム装置。
【請求項６】
請求項１から５のいずれか１項に記載のモデム装置であって、
前記無線周波数処理コンポーネント、前記ベースバンド処理コンポーネント及び前記デジタルインタフェースは、送信機チェインをサポートする様に構成されている、モデム装置。
【請求項７】
請求項１から６のいずれか１項に記載のモデム装置であって、
前記無線周波数処理コンポーネント、前記ベースバンド処理コンポーネント及び前記デジタルインタフェースは、受信機チェインをサポートする様に構成されている、モデム装置。
【請求項８】
請求項１から７のいずれか１項に記載のモデム装置であって、
前記ハードウェアサブシステムは、前記制御情報からタイミングデータを抽出する様に構成され、前記サイクリックプレフィクス処理コンポーネントは、受信シンボル信号のサイクリックプレフィクスの位置を計算する様に構成される、モデム装置。
【請求項９】
請求項８に記載のモデム装置であって、
前記ベースバンド処理コンポーネントは、前記無線周波数処理コンポーネントに前記制御情報を通信する様に構成されたタイミング誤差トラッキングコンポーネントを有し、前記制御情報は、前記タイミングデータを有する、モデム装置。
【請求項１０】
請求項９に記載のモデム装置であって、
前記タイミング誤差トラッキングコンポーネントは、タイミング誤差の変化を識別し、前記タイミング誤差の前記変化の検出に応答して、更新されたタイミングデータを前記無線周波数処理コンポーネントに通信する様に構成される、モデム装置。
【請求項１１】
請求項９に記載のモデム装置であって、
前記タイミング誤差トラッキングコンポーネントは、無線通信システムのサブフレーム当たり、少なくとも１回の割合で、前記タイミングデータを前記サイクリックプレフィクス処理コンポーネントに通信する様に構成される、モデム装置。 
【請求項１２】
請求項１１に記載のモデム装置であって、
前記タイミング誤差トラッキングコンポーネントは、サブフレーム境界で、前記タイミングデータを通信する様に構成される、モデム装置。
【請求項１３】
請求項６に記載のモデム装置であって、
前記ベースバンド処理コンポーネントから前記無線周波数処理コンポーネントに通信されるシンボルは、複数のサンプルを含み、
前記第２変換器は、前記シンボルの最後のＮサンプルを、前記シンボルの残りのサンプルの通信前に、前記無線周波数処理コンポーネントに通信する様に構成される、モデム装置。
【請求項１４】
請求項６に記載のモデム装置であって、
前記無線周波数処理コンポーネントは、前記直交周波数分割多重通信法でサポートされるサイクリックプレフィクスの最大可能長に対応するサイズのバッファを含む、モデム装置。
【請求項１５】
請求項１４に記載のモデム装置であって、
前記サイクリックプレフィクス処理コンポーネントは、前記バッファを含み、前記バッファは、前記デジタルインタフェースのデータチャネルと動作可能に結合され、前記ベースバンド処理コンポーネントにより前記無線周波数処理コンポーネントに通信される、所定数の受信サンプルを格納する様に構成され、サンプルの前記所定数は、現在使用されているサイクリックプレフィクスの長さに対応する、モデム装置。
【請求項１６】
請求項１４に記載のモデム装置であって、
前記サイクリックプレフィクス処理コンポーネントは、前記バッファにアクセスし、前記バッファに格納されているサンプルを、前記格納されているサンプルの元のシンボルの残りのサンプルに追加する、モデム装置。
【請求項１７】
請求項１から１６のいずれか１項に記載のモデム装置であって、
前記サイクリックプレフィクス処理コンポーネントは、第１サイクリックプレフィクス長及び第２サイクリックプレフィクス長の使用に従い動作する様に構成され、
前記サイクリックプレフィクス処理コンポーネントは、前記制御情報に応答し、前記制御情報の少なくとも部分に応答して、前記第１サイクリックプレフィクス長及び前記第２サイクリックプレフィクス長の１つを選択する様に構成される、モデム装置。
【請求項１８】
請求項１７に記載のモデム装置であって、
前記制御情報は、サイクリックプレフィクス長の設定を含む、モデム装置。
【請求項１９】
請求項６に従属する請求項１８に記載のモデム装置であって、
前記サイクリックプレフィクス長の設定は、タイミングアドバンスコマンドの受信に応答して更新される、モデム装置。
【請求項２０】
請求項１から１９のいずれか１項に記載のモデム装置であって、
前記ハードウェアサブシステムは、ロングタームエボリューション無線通信標準に従う直交周波数分割多重をサポートする、モデム装置。
【請求項２１】
請求項１から２０のいずれか１項に記載のモデム装置を含む通信装置。
【請求項２２】
請求項２１に記載の通信装置を含むユーザ装置ユニット。
【請求項２３】
請求項１から２０のいずれか１項に記載のモデム装置を含む通信システム。
【請求項２４】
直交周波数分割多重通信法に従う無線ネットワークアクセスを提供する様に構成されたモデム装置におけるサイクリックプレフィクスの処理方法であって、
ベースバンド処理コンポーネントが、前記直交周波数分割多重通信法に従い時間ドメインと周波数ドメインとの間で信号を変換することと、
ベースバンド処理コンポーネントが、パラレルデータフォーマットとシリアルデータフォーマットとの間でデータを変換することと、
無線周波数処理コンポーネントが、制御情報に応答してサイクリックプレフィクスデータを処理することと、
前記パラレルデータフォーマットと前記シリアルデータフォーマットとの間の変換に関連付けられたノードと、前記サイクリックプレフィクスの処理に関連付けられたノードとの間でデータを通信するため、デジタルインタフェースが、前記ベースバンド処理コンポーネントと前記無線周波数処理コンポーネントとの間をインタフェースすることと、
を含む処理方法。
【発明の詳細な説明】
【技術分野】
【０００１】
本発明は、例えば、直交周波数分割多重通信法に従う様に構成されたベースバンド処理コンポーネント及び無線周波数処理コンポーネントを含むタイプのモデム装置に関する。本発明は、例えば、ベースバンド処理コンポーネントと無線周波数処理コンポーネントとの間がデジタルでインタフェースするタイプのサイクリックプレフィクスの処理方法にも関する。
【背景技術】
【０００２】
例えば、しばしば４Ｇ通信システムとしても参照される、ロングタームエボリューション（ＬＴＥ）通信システムといった、直交周波数分割多重法による通信システムは、ユーザ装置（ＵＥ）ユニットと通信でき、発展型ノードＢ（ｅＮｏｄｅ  Ｂ）としてしばしば参照される基地局を利用することが知られている。ＵＥユニットは、典型的には、ネットワークインフラストラクチャにより提供される１つ以上のセルラ通信サービスの加入者により使用され、ネットワークインフラストラクチャは、ＵＥのために、地理的領域に渡る無線通信カバレッジを提供する、複数の概念的なセルそれぞれをサポートする、複数のｅＮｏｄｅ  Ｂを有する。ｅＮｏｄｅ  Ｂ及びＵＥは、モデムを備えた通信装置の例である。幾つかのアプリケーションにおいて、設計に対する多くの自由度を達成するため、個別の無線周波数（ＲＦ）集積回路（ＩＣ）と動作可能に接続されるベースバンドＩＣを使用してモデムを実現することが望まれる。
【０００３】
ＵＥユニットにおいて、ベースバンドＩＣ及びＲＦ  ＩＣは、共に、上りリンク及び下りリンク通信それぞれに使用される直交周波数分割多重（ＯＦＤＭ）通信法の様々な変形に従う動作をサポートする、送信チェイン及び受信チェインを有する送受信機アーキテクチャをサポートする。典型的に、受信信号は、ＲＦ  ＩＣによりダウンコンバートされ、ベースバンド周波数の範囲内の周波数を中心として、ベースバンドＩＣに伝達される。同様に、送信されるデジタル信号は、ベースバンド周波数の範囲内の周波数を中心として、ベースバンドＩＣで生成され、ＲＦ  ＩＣに伝達され、そこで、キャリア周波数のキャリア信号に変調される。ベースバンドＩＣ及びＲＦ  ＩＣとの間において、通信される信号は、デジタルインタフェースを介し伝達される。
【０００４】
しかしながら、ＬＴＥ、特に、ＬＴＥアドバンス変形は、例えば、多入力多出力（ＭＩＭＯ）及びキャリアアグリゲーションといった、無線通信データレート及び／又は信頼性を増加させる多くの方法を利用している。その様な最適化は、デジタルインタフェースが、そこを横切る通信においてサポートする必要があるデータ量を増加させる結果となる。デジタルインタフェースに関するデータスループットの増加は、例えば、デジタルインタフェースに起因する電力消費の増加、ベースバンドＩＣ及びＲＦ  ＩＣ間のデータ通信をサポートするための物理ピン数の増加要求によるデジタルインタフェースの複雑さの増加といった、望ましくない結果をもたらす。実際、より厳しい帯域幅要求、消費電力要求を積極的にサポートし、ＩＣ間の信号干渉の最小化を試みるために、デジタルインタフェースのデザインは、常に最適化されてきた。しかしながら、上述した様に、ある種の最適化は、金銭上、負の影響をしばしば有する関連する技術的なコストを伴う。
【発明の概要】
【発明が解決しようとする課題】
【０００５】
米国特許出願公開第２０１３／３３１５２８８号明細書も、デジタルインタフェースを介して送信されるデータ量の削減に努力している。しかしながら、データスループットの削減は、受信信号のデジタルサンプルのワード長を制御することにより達成されている。
【課題を解決するための手段】
【０００６】
本発明の第１態様によると、直交周波数分割多重通信法に従う無線ネットワークアクセスを提供する様に構成されたモデム装置が提供され、前記装置は、直交周波数分割多重通信法に従い構成され、バースバンド処理コンポーネントと無線周波数処理コンポーネントとを含むハードウェアサブシステムを有し、ベースバンド処理コンポーネントは、直交周波数分割多重通信法に従い時間ドメインと周波数ドメインとの間での変換を行う様に構成された第１変換器コンポーネントと、パラレルデータフォーマットとシリアルデータフォーマットとの間での変換を行う様に構成され、第１変換器と動作可能に結合される第２変換器コンポーネントと、を有し、無線周波数処理コンポーネントは、制御情報に応答するサイクリックプレフィクス処理コンポーネントを有し、前記装置は、ベースバンド処理コンポーネントとＲＦ処理コンポーネントとの間に配置され、第２変換器とサイクリックプレフィクス処理コンポーネントに動作可能に結合されるデジタルインタフェースを備えている。
【０００７】
無線周波数処理コンポーネントは、第３変換器コンポーネントを有し、サイクリックプレフィクス処理コンポーネントは、第３変換器コンポーネントとデジタルインタフェースとの間に配置される。第３変換器コンポーネントは、デジタル−アナログ変換器であり得る。
【０００８】
第３変換器コンポーネントは、アナログ−デジタル変換器であり得る。
【０００９】
第１変換器は、高速フーリエ変換ユニットを含み得る。第１変換器は、高速逆フーリエ変換ユニットを、追加的、又は、代わりに含み得る。第２変換器は、パラレル−シリアル変換器を含み得る。第２変換器は、シリアル−パラレル変換器を、追加的、又は、代わりに含み得る。
【００１０】
ハードウェアサブシステムは、送受信機を含み、送受信機は、無線周波数処理コンポーネント、ベースバンド処理コンポーネント及びデジタルインタフェースを含み得る。
【００１１】
無線周波数処理コンポーネント、ベースバンド処理コンポーネント及びデジタルインタフェースは、送信機チェインをサポートする様に構成され得る。
【００１２】
無線周波数処理コンポーネント、ベースバンド処理コンポーネント及びデジタルインタフェースは、受信機チェインをサポートする様に構成され得る。
【００１３】
ハードウェアサブシステムは、制御情報からタイミングデータを抽出する様に構成され、サイクリックプレフィクス処理コンポーネントは、受信シンボル信号のサイクリックプレフィクスの位置を計算する様に構成され得る。
【００１４】
バースバンド処理コンポーネントは、タイミング誤差トラッキングコンポーネントを含み、タイミング誤差トラッキングコンポーネントは、制御情報を無線周波数処理コンポーネントに通信する様に構成され得る。制御情報は、タイミングデータを含み得る。
【００１５】
タイミング誤差トラッキングコンポーネントは、タイミング誤差の変化を識別し、タイミング誤差の変化の検出に応答して、更新されたタイミングデータを無線周波数処理コンポーネントに通信する様に構成され得る。
【００１６】
タイミング誤差トラッキングコンポーネントは、チャネル遅延プロファイルデータ及び／又は基準信号を使用してタイミング誤差を判定し得る。
【００１７】
タイミング誤差トラッキングコンポーネントは、無線通信システムのサブフレーム当たり、少なくとも１回の割合で、タイミングデータをサイクリックプレフィクス処理コンポーネントに通信する様に構成され得る。
【００１８】
タイミング誤差トラッキングコンポーネントは、サブフレーム境界で、タイミングデータを通信する様に構成され得る。
【００１９】
ベースバンド処理コンポーネントから無線周波数処理コンポーネントへ通信されるシンボルは複数のサンプルを含み、第２変換器は、シンボルの最後のＮサンプルを、当該シンボルの残りのサンプルの通信前に、無線周波数処理コンポーネントに通信する様に構成され得る。
【００２０】
最後のＮサンプルは、シンボルに適用されたサイクリックプレフィクスに対応し得る。
【００２１】
無線周波数処理コンポーネントは、直交周波数分割多重通信法でサポートされるサイクリックプレフィクスの最大可能長に対応するサイズのバッファを含み得る。
【００２２】
サイクリックプレフィクス処理コンポーネントは、バッファを含み、バッファは、デジタルインタフェースのデータチャネルと動作可能に結合され、ベースバンド処理コンポーネントにより無線周波数処理コンポーネントに通信される、所定数の受信サンプルを格納する様に構成され、サンプルの所定数は、現在使用されているサイクリックプレフィクスの長さに対応し得る。
【００２３】
サイクリックプレフィクス処理コンポーネントは、バッファにアクセスする様に構成され、バッファに格納されているサンプルを、格納されているサンプルの元のシンボルの残りのサンプルに追加し得る。
【００２４】
サイクリックプレフィクスコンポーネントは、第１サイクリックプレフィクス長及び第２サイクリックプレフィクス長の使用に従い動作する様に構成され、サイクリックプレフィクスコンポーネントは、制御情報に応答し、制御情報の少なくとも部分に応答して、第１サイクリックプレフィクス長及び第２サイクリックプレフィクス長の１つを選択する様に構成され得る。
【００２５】
制御情報は、サイクリックプレフィクス長の設定を含み得る。
【００２６】
サイクリックプレフィクス長の設定は、タイミングアドバンスコマンドの受信に応答して更新され得る。
【００２７】
ハードウェアサブシステムは、ロングタームエボリューション無線通信標準に従う直交周波数分割多重をサポートし得る。
【００２８】
本発明の第２態様によると、本発明の第１態様に関して上述したモデム装置を含む通信装置が提供される。
【００２９】
本発明の第３態様によると、本発明の第２態様に関して上述した通信装置を含むユーザ装置ユニットが提供される。
【００３０】
本発明の第４態様によると、本発明の第１態様に関して上述したモデムを含む通信システムが提供される。
【００３１】
本発明の第５態様によると、直交周波数分割多重通信法に従う無線ネットワークアクセスを提供する様に構成されたモデム装置においてサイクリックプレフィクスを処理する方法が提供され、方法は、ベースバンド処理コンポーネントが、直交周波数分割多重通信法に従い時間ドメイン及び周波数ドメインとの間で信号を変換することと、ベースバンド処理コンポーネントが、パラレルデータフォーマットとシリアルデータフォーマットとの間でデータを変換することと、無線周波数処理コンポーネントが、制御情報に応答してサイクリックプレフィクスを処理することと、パラレルデータフォーマットとシリアルデータフォーマットとの間の変換に関連付けられたノードと、サイクリックプレフィクスの処理に関連付けられたノードとの間でデータを通信するため、デジタルインタフェースが、ベースバンド処理コンポーネントと無線周波数処理コンポーネントとの間をインタフェースすることと、を含む。
【００３２】
この様に、ベースバンドＩＣ及びＲＦ  ＩＣとの間のデジタルインタフェースを通過するデータ転送を減らす、装置、方法及びシステムを提供することが可能になる。データ転送の減少は、７％であり得る。よって、これは、デジタルインタフェースに起因する電力消費とデジタルインタフェースでの遅延を減少させる。個別のベースバンドＩＣ及びＲＦ  ＩＣを維持することにより、ベースバンドＩＣ及びＲＦ  ＩＣ及びモジュラ構造の個別の製品開発をサポートすることもできる。その様なアプローチは、幾つかのアプリケーションのために個別のＲＦ  ＩＣの利用をサポートすることができる。さらに、上述したアプローチは、無線送信機、受信機及び／又は送受信機のウエハーの"面積"要求を緩和する。
【００３３】
例示目的で、本発明の少なくとも１つの実施形態について、添付の図面を参照して以下に説明する。
【図面の簡単な説明】
【００３４】
【図１】通信ネットワークの部分として動作するユーザ装置ユニットの構成図。
【図２】本発明の一実施形態を構成する、図１のユーザス装置デバイスの構成図。
【図３】本発明の更なる実施形態を構成する、モデム装置のハードウェアサブアセンブリの送信パスを示す図。
【図４】図３のサブアセンブリの詳細を示す図。
【図５】図３のモデム装置により利用されるサイクリックプレフィクスの処理方法のフロー図。
【図６】本発明の他の実施形態を構成する、モデム装置のハードウェアサブアセンブリの受信パスを示す図。
【図７】図３のサブアセンブリの詳細を示す図。
【図８】図３のモデム装置により利用されるサイクリックプレフィクスの処理方法のフロー図。
【発明を実施するための形態】
【００３５】
以下の説明において、同一の参照符号は、同様の部分を示すために使用される。
【００３６】
図１を参照すると、例えば、ロングタームエボリューション（ＬＴＥ）通信システム１００といった、無線通信システムにおいて、通信ネットワークは、地理的領域に渡り、無線通信アクセスを提供する様に構成された複数のセルによりサポートされている。この例において、説明を簡潔にし、かつ簡略化するため、１つのセルのみが示されている。しかしながら、当業者は、通信ネットワークには多数のセルが通常配置されることを理解する。このように、セル１０２は、ＬＴＥ通信システム１００では発展型ノードＢ（ｅＮｏｄｅ  Ｂ）として参照される基地局によりサポートされる。ｅＮｏｄｅ  Ｂ１０４は、エアインタフェースを介して、例えば、ユーザ装置（ＵＥ）ユニット１０６といった通信装置と、無線で通信できる。ｅＮｏｄｅ  Ｂ１０４は、発展型パケットコア（ＥＰＣ）１０８と動作可能に結合（接続）される。しかしながら、説明を簡潔にし、かつ簡略化するため、ＵＥユニット１０６に関して設定した本例において、無線通信ネットワークインフラストラクチャの更なる詳細をここでは述べない。さらに、ここで設定した例は、ＬＴＥ通信システム１００の文脈で述べられるが、当業者は、この例を、例えば、ＷｉＭＡＸ（Ｗｏｒｌｄｗｉｄｅ  Ｉｎｔｅｒｏｐｅｒａｂｉｌｉｔｙ  ｆｏｒ  Ｍｉｒｃｏｗａｖｅ  Ａｃｅｓｓ）通信標準及びＷｉＦｉ標準（ＩＥＥＥ  ８０２.１１）に従い動作する通信ネットワークといった、直交周波数分割（ＯＦＤＭ）通信法に従い動作する他の種類の通信ネットワークに適用可能であることを理解する。
【００３７】
図２によると、ＬＴＥ通信システムで動作するユーザ装置（ＵＥ）デバイス１０６／２００は、処理リソース２０２を有し、この例において、処理リソース２０２は、セルラ通信端末のチップセットである。処理リソース２０２は、送信機チェイン２０４と、受信機チェイン２０６に結合され、送信機チェイン２０４及び受信機チェイン２０６は、デュプレクス装置２０８に結合される。デュプレクス装置２０８は、アンテナ２１０に結合される。
【００３８】
ＵＥユニット２００は、例えば、ＲＡＭ２１２といった揮発性メモリと、例えば、ＲＯＭ２１４といった不揮発性メモリも有し、それぞれは、処理リソース２０２に結合される。処理リソース２０２は、マイクロフォン２１６、スピーカユニット２１８、キーパッド２２０及びディスプレイ２２２にも結合される。上述したＵＥユニット２００のアーキテクチャが、例えば、複数のアンテナといった、他の要素を含むことを当業者は理解するが、説明を簡潔にし、かつ簡略化することを維持するため、その様な追加の要素の詳細については記載しない。
【００３９】
送信機チェイン２０４及び受信機チェイン２０６は、ハードウェアサブシステムによりサポートされる。幾つかの応用例において、送信機チェイン２０４又は受信機チェイン２０６のみが利用され得る。しかしながら、本例において、ハードウェアサブシステムは、ＵＥユニット２００のモデムの部分である送受信機をサポートする。モデムは、例えば、ＬＴＥ標準で定義される、ＯＦＤＭ通信法に従う無線ネットワークアクセスを提供する様に構成される。ここで設定した例において、用語モデムは、ＯＦＤＭ法に従う動作をサポートできる、任意の適切な変調及び／又は復調装置を含むものとして理解されるべきである。ハードウェアサブシステムは、他のサブシステムと共に、送信機チェイン２０４及び／又は受信機チェイン２０６に寄与する、ハードウェア要素及び／又はソフトウェア要素の集合である。
【００４０】
図３を参照すると、ＯＦＤＭ通信法に従う様に構成されたハードウェアサブシステム３００は、送信機チェイン２０４をサポートする、ベースバンド集積回路（ＩＣ）３０２及び無線周波数（ＲＦ）ＩＣ３０４を有する。デジタルインタフェース３０６は、ベースバンドＩＣ３０２及びＲＦ  ＩＣ３０４との間の通信のため、それらの間に配置される。ベースバンドＩＣ３０２は、ベース処理コンポーネントの例であり、ＲＦ  ＩＣ３０４は、ＲＦ処理コンポーネントの例である。これらは、段階的に配置された機能コンポーネントである。受信機チェインのため、これらベースバンド処理コンポーネントは、中心がキャリア周波数からベースバンド領域の周波数に変換された後、つまり、キャリア周波数が除去された周波数領域に変換された後の入力ＯＦＤＭ信号を処理する。送信機チェインのためにその逆が適用、つまり、アナログドメインに変換され、キャリア周波数にアップコンバートされる前において、これらのコンポーネントによりベースバンド領域の周波数の信号が処理される。受信機チェインにおいて、ＲＦ処理コンポーネントは、受信したＯＦＤＭ信号をベースベンド領域の周波数にダウンコンバートするステージに配置された機能コンポーネントである。送信機チェインにおいて、これらは、キャリア信号を、受信した、中心がベースバンド領域の周波数にあるデジタル信号で変調する様に構成された機能コンポーネントである。デジタルインタフェース３０６は、ベースバンド処理コンポーネントとＲＦ処理コンポーネントとの間のインタフェースであり、ＬＴＥ標準下において最小規格の対象であり、例えば、ＯＦＤＭ通信法をサポートするベースバンド処理部とＲＦ処理部との間で、デジタルデータを通信するために提供される。
【００４１】
ＬＴＥ通信システムで規定される、シングルキャリア周波数分割多重アクセス波形のための送信機チェイン２０４は、ベースバンドＩＣ３０２、ＲＦ  ＩＣ３０４及びデジタルインタフェース３０６により、以下の様にサポートされる。ベースバンドＩＣ３０２は、上流ベースバンド処理ユニット３０８での、上流ベースバンド処理を含み、とりわけ、サイクリックリダンダンシィ（ＣＲＣ）符号化、チャネル符号化、レート適合化、シリアル−パラレル変換、変調コンポーネント及びデジタルフーリエ変換（ＤＦＴ）を含む、上流ベースバンド処理を含む。送信機チェイン２０４のこれらコンポーネント及び残りの他のコンポーネントは、ＬＴＥ標準で設定され、いずれにしても、当業者には容易に理解され、ここで設定した例において述べられる発明の概念の理解には関係がなく、ここでは詳細な説明は行わない。しかしながら、全体を見せるため、これらの要素は、図３に関して述べる。上流ベースバンド処理ユニット３０８の出力は、サブキャリアマッピングユニット３１０の入力に動作可能に結合される。サブキャリアマッピングユニット３１０の出力は、未使用サブキャリアゼロパディングユニット３１２の入力と動作可能に結合され、未使用サブキャリアゼロパディングユニット３１２は、例えば、Ｎポイント高速逆フーリエ変換（ＩＦＦＴ）ユニット３１４の入力といった、ＳＣ−ＦＤＭＡ通信法に従い、時間ドメインと周波数ドメインとの間での信号の変換をサポートする様に構成された第１変換器と動作可能に結合される出力を有する。ＩＦＦＴユニット３１４の出力は、それぞれ、上述した第１変換器とは異なる第２変換器と動作可能に結合され、第２変換器は、パラレルデータフォーマットとシリアルデータフォーマットとの間の信号変換をサポートする様に構成される。例えば、ＩＦＦＴユニット３１４は、パラレル−シリアル変換器３１６の複数の入力と動作可能に結合される。サブキャリアマッピングユニット３１０及びサブキャリアゼロパディングユニット３１２に関し、当業者は、ＬＴＥ標準、３ＧＰＰ  ＬＴ  ３６．２１１，５．３に従い、これらユニットの機能は、リソースエレメントマッパーユニット（図示せず）により実行され得ることを理解する。
【００４２】
この例において、ＲＦ  ＩＣ３０４は、例えば、プレフィクスデータ格納部又はバッファ（図示せず）を含むサイクリックプレフィクス追加ユニット３１８といった、サイクリックプレフィクス処理ユニットを備えている。バッファは、デジタルインタフェース３０６のデータチャネル（図示せず）と動作可能に結合され、バッファのサイズは、ＯＦＤＭ通信法によりサポートされるサイクリックプレフィクスの最大可能長を格納するのに十分である。サイクリックプレフィクス付加ユニット３１８の出力は、例えば、デジタル−アナログ変換器ユニット３２０といった第３変換器ユニットの入力と動作可能に結合され、第３変換器ユニットは、ＲＦ  ＩＣ３０４のＲＦ処理回路３２２の、アップコンバージョンコンポーネント及び関連する増幅コンポーネントを含む残りの部分と動作可能に結合される出力を有する。ＲＦ処理回路３２２のこれら及び残りのコンポーネントは、当業者には容易に理解され、ここで設定した例の理解には関係しないため、ここでは詳細な説明は行わない。
【００４３】
ベースバンドＩＣ３０２のパラレル−シリアル変換器３１６の出力は、ＲＦ  ＩＣユニット３０４のサイクリックプレフィクス付加ユニット３１８に、デジタルインタフェース３０６を介してデータを通信でき、サイクリックプレフィクス処理ユニットは、デジタルインタフェース３０６と第３変換器ユニットとの間に配置される。
【００４４】
図４に戻り、ＲＦ  ＩＣ３０４は、上りリンク通信のため、ＵＥユニット１０６により使用される、サイクリックプレフィクス長を格納する、上りリンクサイクリックプレフィクスレジスタ４００も含んでいる。プレフィクス付加ユニット３１８は、必要に応じて上りリンクサイクリックプレフィクスレジスタ４００にアクセスすることができる。ハードウェアサブシステム３００は、デジタルインタフェース３０６の上りリンク／下りリンク制御データインタフェース４０４を介して、上りリンクサイクリックプレフィクスレジスタ４００に書き込みを行うことができるプロトコルソフトウェアコンポーネント４０２を含む。プロトコルソフトウェアコンポーネント４０２は、物理下りリンク共用チャネル（ＰＤＳＣＨ）と動作可能に結合される。
【００４５】
動作中（図５）、Ｍデータビットのブロックは、ベースバンドＩＣ３０２の上流ベースバンド処理ユニット３０８のデータマッパ（図示せず）及び波形生成器（図示せず）を使用し、中心周波数が零のキャリア信号上で直交振幅変調（ＱＡＭ）される。上流ベースバンド処理ユニット３０８は、ＬＴＥ標準に従い、Ｍ×１５ｋＨｚの帯域幅を占有するＱＡＭ波形に対応する振幅及び位相の、Ｍ個の均等間隔で隣接するサブキャリアの集合を生成するため、デジタルフーリエ変換ユニット（図示せず）により、変調されたキャリア信号を離散フーリエ変換（ステップ５０２）の対象とする。隣接するサブキャリアの集合は、サブキャリアマッピングユニット（３１０）により、ＬＴＥ標準の全帯域幅に渡る、Ｎサブキャリアのより大きな集合の部分にマッピングされる（ステップ５０４）。マッピング後、Ｎサブキャリアの全集合は、ＦＦＴサイズ要求に適合させるため、サブキャリアゼロパディングユニット３１２による未使用サブキャリアゼロパディング処理（ステップ５０６）の対象とされ、パディング処理されたサブキャリアは、パラレル時間ドメインデジタル波形を生成するため、ＩＦＦＴユニット３１４による高速逆フーリエ変換（ステップ５０８）の対象となる。デジタル時間ドメイン波形は、デジタルインタフェース３０６を介してＲＦ  ＩＣ３０４に通信されるシリアルデジタル波形を生成するため、パラレル−シリアル変換器ユニット３１６によりパラレルフォーマットからシリアルフォーマットに変換（ステップ５１０）される。サイクリックプレフィクスは、ＲＦ  ＩＣ３０４に送信されるシリアルデジタル波形の最後のＮサンプルから生成される必要があるため、サイクリックプレフィクスを生成するために使用されるデータは、パラレルーシリアル変換器３１６から読み出され、最初に、つまり、シリアルデジタル波形の残りの前に、ベースバンドＩＣ３０２からＲＦ  ＩＣ３０４に送信される。続いて、シリアルデジタル波形の残りのサイクリックプレフィクスに関連しないデータが、ベースバンドＩＣ３０２からＲＦ  ＩＣ３０４に送信される。シリアルデジタル波形の最後のＮサンプルは、よって、ＲＦ  ＩＣ３０４によって、シリアルデジタル波形のサンプルの残りの前に受信され、サイクリックプレフィクス付加ユニット３１８によって処理される。この点に関し、ＬＴＥ標準は、２つ以上のサイクリックプレフィクスの長さをサポートしているので、シリアルデジタル波形のサンプルの上述した処理を実行するために使用される上りリンクサイクリックプレフィクスの長さをサイクリックプレフィクス付加ユニット３１８に提供する必要がある。結果、プロトコルソフトウェアコンポーネント４０２は、ＰＤＳＣＨを介するシステム情報ブロックデータ、特に、ＳｙｓｔｅｍＩｎｆｏｒｍａｔｉｏｎＢｌｏｃｋＴｙｐｅ２に対するアクセスを有し、そこから、プロトコルソフトウェアコンポーネント４０２は、使用される上りリンクサイクリックプレフィクスの長さを抽出する。プロトコルソフトウェアコンポーネント４０２は、上りリンク／下りリンク制御データインタフェース４０４を介して上りリンクサイクリックプレフィクスレジスタ４００に、使用される上りリンクサイクリックプレフィクスの長さを書き込む。使用される上りリンクサイクリックプレフィクスの長さは、サイクリックプレフィクス付加ユニット３１８により、上りリンクサイクリックプレフィクスレジスタ４００から読み出される（ステップ５１２）。サイクリックプレフィクス付加ユニット３１８は、シンボル毎に、受信した所定シンボルのシリアルデジタル波形の最後のＮサンプルの各コピーをバッファに格納し、格納されるデータ量は、上りリンクサイクリックプレフィクスレジスタ４００から読み出された上りリンクサイクリックプレフィクスの長さに従い選択される。その後、バースバンドＩＣ３０２から送信されたサンプルがＲＦ  ＩＣ３０４により完全に受信されると、受信シンボルの格納された部分が、サイクリックプレフィクス付加ユニット３１８によりバッファから読み出され、所定シンボルを完成させるため、所定シンボルに関して受信した最後のサンプルの終わり部分に付加される（ステップ５１４）。この例において、シンボルのサンプルが、サイクリックプレフィクス付加ユニット３１８により受信されると、サンプルは、デジタル−アナログ変換器３２０によりデジタルドメインからアナログドメインに変換され（ステップ５１６）、アナログ信号出力は、ＲＦ信号を形成するため、ＲＦ処理回路３２２の残りの部分に関連して上述したアップコンバータによりアップコンバートされる（ステップ５１８）。結果、本例において、サンプルが、最後のＮサンプルとは別に、下流側に向けてデジタル−アナログ変換器３２０及び他の処理コンポーネントに渡されると、バッファに格納された最後のＮサンプルは、サンプルストリームに効果的に付加され、シンボルに関する先行サンプルと同様にデジタル−アナログ変換器に渡されるので、シンボルは再構成され、"オンザフライ"でさらに処理される。よって、これは、ベースバンドＩＣ３０２とＲＦ  ＩＣ３０４との間でサイクリックプレフィクスサンプルが２度送信されることを効果的に防ぎ、よって、デジタルインタフェース３０６を横切るデータ帯域幅の利用を減少させる。もちろん、他の実装の可能性も考慮でき、例えば、バッファは、シンボルの総てのサンプルを格納する様に拡張でき、サイクリックプレフィクス付加ユニット３１８は、まず、シンボルの開始及び終わりに関するバッファ格納位置の点で最後のＮサンプルを格納する様に構成され、その後、サイクリックプレフィクス付加ユニット３１８により受信される残りのサンプルに対して、最後のＮサンプルの２つの位置間で格納位置を調整する。その後、付加したサイクリックプレフィクスを含むシンボルが再構成されると、サンプルは、デジタル−アナログ変換器３２０によりデジタルドメインからアナログドメインに変換され（ステップ５１６）、その後、アナログ信号出力は、ＲＦ信号を形成するため、ＲＦ処理回路３２２の残りの部分に関連して上述したアップコンバータによりアップコンバートされる（ステップ５１８）。アップコンバートされたＲＦ信号は、アンテナ２１０による放射前のデュプレクサ２０８に適用される前に、ＲＦ処理回路３２２の残りの部分に関連して上述した電力増幅器により増幅される（ステップ５２０）。
【００４６】
ｅＮｏｄｅＢ間でのハンドオーバが指示されると、プロトコルソフトウェコンポーネント４０２は、ハンドオーバ手順のターゲットｅＮｏｄｅＢに関してのサイクリックプレフィクス長情報を抽出し、サイクリックプレフィクス長情報は、ＵＥユニット２００とターゲットｅＮｏｄｅＢ間の同期手順の間に取得されることに留意すべきである。上述したのと同様の方法で、ターゲットｅＮｏｄｅＢで使用される上りリンクサイクリックプレフィクスの長さは、上りリンク／下りリンク制御データインタフェース４０４を介して、上りリンクサイクリックプレフィクスレジスタ４００に書き込まれる。
【００４７】
現在のＬＴＥ標準では、複数の長さのサイクリックプレフィクスが存在し、選択されるサイクリックプレフィクスは、伝搬を考慮して決定される。この例において、サイクリックプレフィクス処理ユニットは、データ送信にモデムが使用すべきである可能なサイクリックプレフィクス長の指示を含む、上りリンクサイクリックプレフィクスレジスタ４００のコンテンツに応答する。シンボルの最後のＮサンプルは、バースバンドＩＣ３０２により前もって送信され、（シンボルのサンプルの前につけることに加えて）受信シンボルの残りのサンプルの最後に付加する必要があるので、サイクリックプレフィクス処理ユニットは、シンボルを完成させるために使用されるデータをバッファに格納する。
【００４８】
上りサイクリックプレフィクスレジスタ４００に格納されたサイクリックプレフィクスが最新であることを確実にするため、プロトコルソフトウェアコポーネント４０２は、ＵＥユニット２００による現在のｅＮｏｄｅＢからのタイミングアドバンスコマンドの受信に応答して、上りサイクリックプレフィクスレジスタ４００に格納されたサイクリックプレフィクス長情報をリフレッシュする様に構成され得る。
【００４９】
図６を参照すると、受信機チェイン２０６は、ベースバンドＩＣ３０２、ＲＦ  ＩＣ３０４及びデジタルインタフェース３０６により以下の様にサポートされる。ＲＦ  ＩＣ３０４は、上流ＲＦ処理ユニット６００による、フィルタリング、増幅、周波数変換及びゲイン制御を含む上流ＲＦ処理を含む。上流ＲＦ処理ユニット６００のこれら及び残りのコンポーネントは、当業者には容易に理解され、ここで設定した例の理解には関係しないため、ここでは詳細な説明は行わない。上流ＲＦ処理ユニット６００は、例えば、第３変換器の他の例であるアナログ−デジタル変換器６０２と動作可能に結合され、アナログ−デジタル変換器６０２は、例えば、サイクリックプレフィクス除去ユニット６０４であるサイクリックプレフィクス処理ユニットと動作可能に結合される出力を有する。この例において、サイクリックプレフィクスの上りリンク及び下りリンク処理は、サイクリックプレフィクス処理ユニットにより実行されるが、当業者は、これら処理を個別の処理要素で実行できることを理解する。
【００５０】
ベースバンドＩＣ３０２は、パラレルデータフォーマットとシリアルデータフォーマットとの間での変換を行う様に構成された第２変換器の他の例であるシリアル−パラレル変換器ユニット６０６を有し、シリアル−パラレル変換器ユニット６０６は、ＯＦＤＭ通信法に従い時間ドメインと周波数ドメインとの間での変換を行う様に構成された第１変換器の他の例である、例えば、高速フーリエ変換（ＦＦＴ）ユニット６０８の入力と動作可能に結合される出力を有する。ＦＦＴユニット６０８の出力は、サブキャリア抽出ユニット６１０の入力と動作可能に結合される。サブキャリア抽出ユニット６１０の出力は、サブキャリアディマッピングユニット６１２の入力と動作可能に結合され、サブキャリアディマッピングユニット６１２の出力は、ＬＴＥ標準に従い構成された受信チェイン６１４の残りと動作可能に結合され、そのうちの幾つかの詳細については後述する。サブキャリア抽出ユニット６１０及びサブキャリアディマッピングユニット６１２に関し、当業者は、ＬＴＥ標準、３ＧＰＰ  ＬＴ  ３６．２１１，６．３に従い、これらユニットの機能は、リソースエレメントディマッパーユニット（図示せず）により実行され得ることを理解する。
【００５１】
サイクリックプレフィクス除去ユニット６０４の出力は、デジタルインタフェース３０６を介してシリアル−パラレル変換器ユニット６０６の入力と通信可能である。この点、デジタルインタフェース３０６は、サイクリックプレフィクス除去ユニット６０４とシリアル−パラレル変換器ユニット６０６との間、つまり、ＲＦ  ＩＣ３０４とベースバンドＩＣ３０２との間に配置されている。さらに、サイクリックプレフィクス処理ユニットは、デジタルインタフェース３０６と第３変換器ユニットとの間に配置されている。
【００５２】
図７に戻り、受信機チェイン６１４の残りは、サブキャリアディマッピングユニット６１２の出力と動作可能に結合される入力を有する、チャネル推定ユニット７００を有する。チャネル推定ユニット７００の第１出力は、チャネル等化ユニット７０２の入力と動作可能に結合され、チャネル等化ユニット７０２の出力は、復調、シリアルーパラレル変換器、ディレート整合及びチャネル復号を含む、受信機チェイン２０６の他の機能コンポーネントと動作可能に結合される。受信機チェイン６１４のこれら及び残りのコンポーネントは、当業者には容易に理解され、ここで設定した本発明の概念の理解には関係しないため、ここでは詳細な説明は行わない。チャネル推定ユニット７００の第２出力は、タイミング誤差トラッキングユニット７０４の第１入力と動作可能に結合される。タイミング誤差トラッキングユニット７０４は、本例ではサイクリックプレフィクス除去ユニット６０４であるサイクリックプレフィクス処理ユニットと、デジタルインタフェース３０６の上りリンク／下りリンク制御データインタフェース４０４を介して通信できる。ＲＦ  ＩＣ３０４は、サイクリックプレフィクス除去ユニット６０４がアクセスできる下りリンクサイクリックプレフィクスレジスタ７０６を有する。ベースバンドＩＣ  ３０２のセルサーチモジュール７０８は、例えば、バースバンドＩＣ３０２の入力において、デジタルインタフェース３０６のデータチャネルと動作可能に結合され、セルサーチモジュール７０８は、タイミング誤差トラッキングユニット７０４と動作可能に結合される。さらに、セルサーチモジュール７０８は、デジタルインタフェース３０６の上りリンク／下りリンク制御データインタフェース４０４を介して、下りリンクサイクリックプレフィクスレジスタ７０６に書き込みを行うことができる。下りリンクサイクリックプレフィクスレジスタ７０６は、ＦＦＴユニット６０８のサイズも格納する。
【００５３】
動作において（図８）、ＵＥユニット２００のアンテナ２１０及びデュプレクサ２０８を介して受信した（ステップ８００）ＲＦ信号は、ＲＦ  ＩＣ３０４の上流処理ユニット６００によりアナログベースバンド信号にダウンコンバート（ステップ８０２）され、アナログベースバンド信号は、アナログベースバンド信号をデジタルドメインに変換（ステップ８０４）するため、アナログ−デジタル変換器６０２に通信される。アナログ−デジタル変換器６０２は、よって、受信したアナログベースバンド信号に応答してデジタル信号を生成し、このデジタル信号は、ＬＴＥ標準で定義されたフレーム構造に従い構成されたシンボル列を構成し、各フレームは、複数のシンボルを含む。ＬＴＥ標準によると、シンボルは、それぞれ、サイクリックプレフィクスが前に置かれ、サイクリックプレフィクスは、ガードインターバルを提供し、シンボル間干渉の影響を低減させる。デジタル信号処理の一部として、ＬＴＥ標準によると、サイクリックプレフィクスは除去（ステップ８０６）を要する。
【００５４】
この点、サイクリックプレフィクス除去ユニット６０４は、下りリンクサイクリックプレフィクスの長さを判定するために、下りリンクサイクリックプレフィクスレジスタ７０６にアクセスする。しかしながら、下りリンクサイクリックプレフィクスレジスタ７０６は、サイクリックプレフィクスの除去に使用する下りリンクサイクリックプレフィクスの長さを含む必要がある。この点、セルサーチモジュール７０８は、デジタルインタフェース３０６のデータインタフェースを介してＲＦ  ＩＣ３０４とベースバンドＩＣ３０２との間に通信される下りリンクデータを受信する。セルサーチモジュール７０８は、ＬＴＥ標準に従いセルサーチ手順を開始する。特に、本実施形態のこの下りリンク態様に関し、セルサーチモジュール７０８は、プライマリ同期信号を見つけ、その後、プライマリ同期信号内のセカンダリ同期信号を見つけるために、下りリンク同期チャネルを使用し、使用されている下りリンクサイクリックプレフィクスの長さを検出する。一旦検出すると、下りリンクサイクリックプレフィクスの長さは、セルサーチモジュール７０８により、上りリンク／下りリンク制御データインタフェース４０４を介して、下りリンクサイクリックプレフィクスレジスタ７０６に書き込まれる。
【００５５】
サイクリックプレフィクス除去ユニット６０４は、タイミング誤差トラッキングユニット７０４から制御データを受信し、制御データは、タイミングデータを構成するサンプル位置番号データを含む。サイクリックプレフィクス除去ユニット６０４は、ｎ番目のサンプルといった、サンプル位置番号の点で、先行するシンボルからのシンボル間干渉の存在のもと、サイクリックプレフィクスに関する信号エネルギの開始の最適位置を正確に位置づけるために、このタイミングデータを使用する。この点、このサンプル位置番号データ、ＦＦＴユニット６０８に格納されるサイズ、及び、下りリンクサイクリックプレフィクスのアクセスされる長さは、ベースバンドＩＣで使用される任意の適切なサイクリックプレフィクス除去アルゴリズムと共に、ＲＦ  ＩＣ３０４において使用され、サイクリックプレフィクス除去ユニット６０４としてサービス提供される。サイクリックプレフィクス除去ユニット６０４は、この様に、サンプル位置番号データ、ＦＦＴサイズデータ、及び、下りリンクサイクリックプレフィクスの長さを、例えば、サイクリックプレフィクスをベースバンドＩＣ３０２に通信することを故意に無視する等、サイクリックプレフィクスを除去するために使用する。サイクリックプレフィクスの除去に伴う（ステップ８０６）、前が取り除かれたシンボルは、デジタルインタフェース３０６を介してベースバンドＩＣに通信（ステップ８０８）される。シンボルは、ベースバンドＩＣ３０２でシリアルデータストリームとして受信されるので、シリアルシンボルは、ＦＦＴユニット６０８に通信される前に、シリアル−パラレル変換器６０６で、パラレルデータに変換（ステップ８１０）される。ＦＦＴユニット６０８は、その後、時間ドメインである信号のシンボルに対して高速フーリエ変換アルゴリズムを適用し（ステップ８１２）、時間ドメイン信号を周波数ドメイン信号に変換、つまり、周波数信号を生成する。ＦＦＴユニット６０８の出力は、その後、ＬＴＥ標準に従い、未使用ガードキャリアを除去（ステップ８１４）するために、サブキャリア抽出ユニット６１０に通信される。その後、サブキャリア抽出ユニット６１０が出力する信号は、ＵＥユニット２００が復号するために必要とするサブキャリアリソースエレメントを抽出するため、サブキャリアのディマッピング（ステップ８１６）を実行する、サブキャリアディマッピングユニット６１２に通信される。ディマッピングされた信号は、その後、受信チェイン６１４の残りの部分に渡され、そこでは、タイミング誤差トラッキングユニット７０４が、シンボルの信号エネルギの開始の識別での任意の誤差を判定する（ステップ８２０）。この誤差は、多くの方法で計算され得る。例えば、セルサーチモジュール７０８によりシンボルの開始の粗い推定が生成され、タイミング誤差トラッキングユニット７０４に通信される。初期推定が、タイミング誤差トラッキングユニット７０４によりサイクリックプレフィクス除去ユニット６０４に、サンプル位置番号で通信される。初期推定の精度は、任意の適切な公知技術を用いて改良され得る。例えば、タイミング誤差トラッキングユニット７０４は、サブキャリアディマッピングユニット６１２���出力から、直接得た基準信号を使用することができ、基準信号は、初期推定されたサンプル位置番号の使用により得られる。代わりに、この例で利用する様に、初期推定の精度は、タイミング誤差トラッキングユニット７０４が、チャネル推定ユニット７００を介してサブキャリアディマッピングユニット６１２から、チャネル推定ユニット７００により生成されたチャネル遅延プロフィルデータと共に、基準信号を取得することにより改良され得る。タイミング誤差トラッキングユニット７０４は、その後、修正したサンプル位置番号を判定する。一旦計算されると、サンプル位置番号データは、下りリンクサイクリックプレフィクスレジスタ７０６に格納され、使用される制御情報として、サイクリックプレフィクス処理ユニット６０４に通信（ステップ８２２）される。本例において、タイミング誤差トラッキングユニット７０４は、ＬＴＥシステムのサブフレーム当たり、少なくとも１つの割合で、サンプル位置番号データをサイクリックプレフィクス処理ユニットに通信する。本例において、サンプル位置番号は、サブフレーム境界と同期して、つまり、サブフレーム間の境界と同期して通信される。
【００５６】
チャネル推定ユニット７００の出力は、受信機チェイン６１４の残りの部分による受信信号に対する更なる処理前に、チャネル等化ユニット７０２によるチャネル等化（ステップ８２４）の対象にもなる。上記処理（ステップ８００から８２４）は、受信ＲＦ信号の連続処理のため、ＲＦ信号が受信されている間、繰り返される。
【００５７】
上記からわかる様に、サイクリックプレフィクス処理ユニット６０４は、ベースバンドＩＣ３０２ではなく、ＲＦ  ＩＣ３０４に配置され、後者は、サイクリックプレフィクス処理のための位置である。よって、これにより、デジタルインタフェース３０６を介してのサイクリックプレフィクスの送信を避け、よって、デジタルインタフェース３０６を横切るデータ帯域幅の利用を減少させる。
【００５８】
当業者は、上述した実装が、添付の特許請求の範囲の範囲内で考えられる様々な実装の単なる例であることを理解する。実際、当業者は、送信機チェイン２０４及び受信機チェイン２０６の組み合わせでのここでの記載が、モデムが送信機チェイン２０４及び受信機チェイン２０６のみを含むことに限定することを意図したものではないことを理解し、送信機チェイン２０４と受信機チェイン２０６のいずれかを含むモデムや、他のものを含むものを考えることができる。
【００５９】
同様に、"変換器"ユニットに対する様々な参照をここでは行った。この用語の正確な意味は、特定の文脈により異なる。しかしながら、一般的なレベルにおいて、変換器ユニットは、例えば、アナログ−デジタル変換器の様な、アナログドメインからデジタルドメインといった、第１ドメインから第２ドメインに入力を変換するユニットである。変換器コンポーネントの他の例は、デジタル−アナログ変換器である。しかしながら、フォーマットも"ドメイン"と見なすべきであり、例えば、パラレルデータフォーマット及びシリアルデータフォーマットもドメインと見做され、この点において、パラレル−シリアル変換器及びシリアル−パラレル変換器もこれらドメイン間の"変換"の例である。ドメインのさらなる例は、周波数ドメイン及び時間ドメインであり、この点において、ＦＦＴユニット及びＩＦＦＴユニットは、周波数ドメインと時間ドメインとの間での"変換"の例である。
【００６０】
上述した例においては、ＬＴＥ標準で定義されている様に、２つのサイクリックプレフィクス長さについて述べていた。例えば、サイクリックプレフィクスの３つ以上の異なる長さといった、２つ以上のプレフィクス長を使用する通信標準を、制御情報がサポートできることを理解すべきである。代わりに、通信システムにおいて単一のサイクリックプレフィクスが使用される場合、サイクリックプレフィクス長は、ＢＢ  ＩＣ３０２からの特別な通信の必要性無しに、ＲＦ  ＩＣ３０４に局所的に格納することができる。
【００６１】
デジタルインタフェースに関し、機能レベルにおいて、デジタルインタフェースは、ベースバンド処理コンポーネントと無線周波数処理コンポーネントとの間をインタフェースして、送信チェインへの参照であるか、受信機チェインへの参照であるかに応じて、パラレル−シリアル変換器又はシリアル−パラレル変換器に関連付けられた概念的なノードと、サイクリックプレフィクス処理ユニットの入力又は出力に関連付けられた概念的にノードとの間のデータの通信をサポートする。
【００６２】
上述した説明を通じで、用語"ユニット"は、ベースバンドＩＣ３０２及びＲＦ  ＩＣ３０４のコンポーネントに関して使用した。しかしながら、当業者は、用語"ユニット"及び"コンポーネント"が相互に交換可能であることを理解する。
【００６３】
誤解を避けるために述べると、用語"下りリンク"の使用は、ｅＮｏｄｅＢからＵＥユニットへの通信を参照している。ＵＥユニット２００は、よって、ここで設定した例において、下りリンク受信機チェインを有する。同様に、用語"上りリンク"の使用は、ＵＥからｅＮｏｄｅＢへの通信を参照している。ＵＥユニット２００は、よって、ここで設定した例において、上りリンク送信機チェインを有する。
【００６４】
上述した実施形態のシステム及び方法は、上述した構造的コンポーネント及びユーザの相互作用に加えて、コンピュータシステム（特に、コンピュータハードウェア又はコンピュータソフトウェア）に実装され、或いは、特別に製造された、或いは、適合された集積回路に実装され得る。
【００６５】
上述した実施形態の方法は、コンピュータプログラム、コンピュータプログラム製品、又は、コンピュータプログラムを担持するコンピュータ可読記憶媒体として提供され、コンピュータプログラムは、コンピュータ又は他のプロセッサにより実行されると、上述した方法を実行する。
【００６６】
用語"コンピュータ可読記憶媒体"は、限定なく、コンピュータ又はコンピュータシステムにより直接アクセスされ、読み出される任意の媒体を含む。媒体は、フロッピィディスク、ハードディスク格納媒体及び磁気テープの様な磁気格納媒体、光ディスク又はＣＤ−ＲＯＭの様な光格納媒体、ＲＡＭ、ＲＯＭ及びフラッシュメモリを含むメモリの様な電気格納媒体、及び、磁気／光格納媒体の様な、上記のハイブリッド及び組み合わせを含みえるが、それらに限定されない。
【００６７】
本発明の特定の例について説明したが、当業者は、多くの等価な修正及び変形が可能であることを理解する。よって、上述した本発明の例示的な実施形態は、説明を目的とし、限定しないものと見做される。上記実施形態への種々の変更が、本発明の精神及び範囲から逸脱することなくなされ得る。
【図１】
2018517343.tif 000003
【図２】
2018517343.tif 000004
【図３】
2018517343.tif 000005
【図４】
2018517343.tif 000006
【図５】
2018517343.tif 000007
【図６】
2018517343.tif 000008
【図７】
2018517343.tif 000009
【図８】
2018517343.tif 000010
【国際調査報告】
2018517343.tif 000011
2018517343.tif 000012